(57)【特許請求の範囲】
【請求項１】
第１の躯体及び該第１の躯体に取り付けられた第１の外壁材と、第２の躯体及び該第２の躯体に取り付けられた第２の外壁材とで形成された目地を、第１の防水部材および第２の防水部材により防水する外壁目地の防水構造であって、
第１の防水部材および第２の防水部材が、長尺矩形状の可撓性シートからなり、長さ方向に沿って谷折りに折り返された谷折り領域を有する防水シートと、該防水シートの幅方向の一方の端部上に長さ方向に沿って設けられた防水層とを具備する外壁目地用防水部材であり、
第１の防水部材の防水層が、第１の外壁材の第１の躯体側表面に取り付けられ、第２の防水部材の防水層が、第２の外壁材の第２の躯体側表面に取り付けられ、
第１の防水部材および第２の防水部材に各々具備された防水シートの谷折り領域の長さ方向が、目地に沿って配置され、かつ、各谷折り領域が重なり合っていることを特徴とする外壁目地の防水構造。
【請求項２】
第１の防水部材に具備された防水シートの幅方向の他方の端部が、第２の躯体に接し、
第２の防水部材に具備された防水シートの幅方向の他方の端部が、第１の外壁材に接していることを特徴とする請求項１に記載の外壁目地の防水構造。
【請求項３】
第１の防水部材の谷折り領域及び第２の防水部材の谷折り領域より屋外側の目地に、コーキング材又はガスケットが充填されていることを特徴とする請求項１又は２に記載の外壁目地の防水構造。
【請求項４】
防水シートの幅方向の他方の端部が、外側に向けて折曲されていることを特徴とする請求項１〜３のいずれか１項に記載の外壁目地の防水構造。
【発明の詳細な説明】
【技術分野】
【０００１】
本発明は、躯体間及び外壁材間の目地を防水する外壁目地用防水部材及び外壁目地の防水構造に関する。
【背景技術】
【０００２】
近年、建築物の外壁として、外壁パネル等の外壁材が広く用いられている。通常、外壁材は、その端部が、間隔を空けて設けられた柱等の躯体に固定されて取り付けられている。ここで、隣接する躯体間及び外壁材間には目地が形成される。この目地は、屋内と屋外とを連通しており、そのままでは目地から屋内に雨等が侵入してしまうため、目地には雨等の侵入を防ぐことを目的とした防水処理が施されている。
左右に隣接する躯体間及び外壁材間の目地を防水する防水処理としては、例えば、外壁材間の目地に、ゴムや可撓性樹脂等の材質からなるガスケットを挿入する方法が知られている（特許文献１参照）。このガスケットは、側面が両方の外壁材に密着することにより、防水性を確保する。
また、特許文献２では、各外壁材に長尺の樹脂シートの幅方向の一端を固定しておき、外壁材を隣接配置した後、隣接する樹脂シート同士を目地に沿って重ね合わせ、その重ね合わせ部分を水切りテープで覆い、覆った部分を目地の中に押し込む方法が提案されている。
また、特許文献３では、柱と外壁材との間に長尺のゴム製防水シートの幅方向の一端を挟みつつ、外壁材を隣接配置した後、隣接する防水シート同士を接着し、接着部分を目地の中に押し込む方法が提案されている。
【特許文献１】特開昭６３−４４０４７号公報
【特許文献２】特開平９−３０２７８５号公報
【特許文献３】特開平１０−２３５７７５号公報
【発明の開示】
【発明が解決しようとする課題】
【０００３】
しかしながら、押出成形体であるガスケットは、経時的に押出時の長さ方向に収縮するため、特許文献１に記載の防水処理では、外壁材とガスケットとの間に次第に隙間を生じて防水性が不充分になることがあった。その上、外壁材の小口に段差がある場合には、外壁材とガスケットとの間の一部に隙間が形成されてしまうため、その隙間をコーキング材等により埋めなければならず、防水処理作業に手間を要した。しかも、コーキング材は、振動や環境の変化により伸縮するため、亀裂が生じ、防水性を確保できないことがあった。
また、外壁材の縦方向の長さは３ｍ程度と長いため、特許文献２，３に記載の方法では、樹脂シート同士又は防水シート同士を貼着する作業の作業性が低かった。さらに、目地の間隔は狭いため、樹脂シート同士又は防水シート同士を貼着する作業は屋外側で行い、貼着した後に、貼着部分を目地の中に押し込むことになるが、その押し込み作業の作業性も低かった。
本発明は、前記事情を鑑みてなされたものであり、防水性に優れる上に、外壁材の小口に段差があっても防水処理作業に手間を要さず、防水処理作業の作業性にも優れた外壁目地用防水部材及び外壁目地の防水構造を提供することを目的とする。
【課題を解決するための手段】
【０００４】
本発明の外壁目地の防水構造は、第１の躯体及び該第１の躯体に取り付けられた第１の外壁材と、第２の躯体及び該第２の躯体に取り付けられた第２の外壁材とで形成された目地を、第１の防水部材および第２の防水部材により防水する外壁目地の防水構造であって、
第１の防水部材および第２の防水部材が、長尺矩形状の可撓性シートからなり、長さ方向に沿って谷折りに折り返された谷折り領域を有する防水シートと、該防水シートの幅方向の一方の端部上に長さ方向に沿って設けられた防水層とを具備する外壁目地用防水部材であり、
第１の防水部材の防水層が、第１の外壁材の第１の躯体側表面に取り付けられ、第２の防水部材の防水層が、第２の外壁材の第２の躯体側表面に取り付けられ、
第１の防水部材および第２の防水部材に各々具備された防水シートの谷折り領域の長さ方向が、目地に沿って配置され、かつ、各谷折り領域が重なり合っていることを特徴とする。
本発明の外壁目地の防水構造においては、第１の防水部材に具備された防水シートの幅方向の他方の端部が、第２の躯体に接し、第２の防水部材に具備された防水シートの幅方向の他方の端部が、第１の外壁材に接していることが好ましい。
本発明の外壁目地の防水構造においては、第１の防水部材の谷折り領域及び第２の防水部材の谷折り領域より屋外側の目地に、コーキング材又はガスケットが充填されていることが好ましい。
本発明の外壁目地の防水構造においては、防水シートの幅方向の他方の端部が、外側に向けて折曲されていることが好ましい。
【発明の効果】
【０００５】
本発明の外壁目地用防水部材及び外壁目地の防水構造は、防水性に優れる上に、外壁材の小口に段差があっても防水処理作業に手間を要さず、防水処理作業の作業性にも優れている。
【発明を実施するための最良の形態】
【０００６】
本発明の外壁目地用防水部材（以下、防水部材と略す。）の一実施形態例について説明する。
図１及び図２に、本実施形態例の防水部材を示す。本実施形態例の防水部材１０は、長尺矩形状の可撓性シートからなる防水シート１１と、防水シート１１の幅方向の一方の端部上に長さ方向に沿って設けられた防水層１２とを有するものである。
【０００７】
防水部材１０を構成する防水シート１１は、長さ方向に沿って谷折りに折り返された谷折り領域Ｐと、防水層１２が接し、外壁材と躯体との間に挟持される取付領域Ｑとを有している。
本実施形態例における防水シート１１は、幅方向の他方の端部が外側に向けて折曲されている。本実施形態例では、この外側に向けて折曲された部分のことを外折り部１４という。
また、防水シート１１は、谷折り領域Ｐと取付領域Ｑとの境界線Ｌで折曲され、防水層１２表面と谷折り領域Ｐの折り目１３先端とが互いに反対側を向くようになっている。
さらに、本実施形態における防水シート１１においては、谷折り領域Ｐにおける取付領域Ｑ側の端部にも、長さ方向に沿って折り目１５，１５が形成されている。
防水シート１１の谷折り領域Ｐにおいては、境界線Ｌから折り目１３までの距離と、外折り部１４の端部から折り目１３までの距離とが略同等である。
【０００８】
防水シート１１をなす可撓性シートとしては、例えば、架橋ポリエチレン、ポリプロピレン、無可塑ポリ塩化ビニル、ポリエチレンテレフタレートなどの樹脂からなるシート、アルミニウム薄膜などが挙げられる。これらの中でも、可撓性と強度とを併せ持ち、かつ、耐熱性を有することから、ポリプロピレンが好ましく、特に無延伸ポリプロピレン（ＣＰＰ）が好ましい。また、無延伸ポリプロピレンは半透明であり、折り目１３が白色線になるため、後述するように一対の防水部材１０を施工する際に、目視によって折り目１３同士を重ねることができる。
【０００９】
防水シート１１の幅は、目地の防水性を確実に確保できることから、目地間幅の２〜５倍であることが好ましい。ここで、防水シート１１の幅とは、折曲されてない状態での、防水シート１１の長さ方向の直交方向における両端間の長さのことである。
防水シート１１の長さは、防水処理作業の作業性及び輸送性の点から、０．１〜３．０ｍであることが好ましい。
防水シート１１の厚みは、防水性及びハンドリング性の点から、０．２〜０．６ｍｍであることが好ましい。
【００１０】
防水層１２を形成する防水剤としては粘着性を有するものであり、例えば、ブチルゴム、ウレタンゴム、スチレン−イソプレン−スチレンブロック共重合体（ＳＩＳ）、スチレン−ブタジエン−スチレンブロック共重合体（ＳＢＳ）などが挙げられる。これらの中でも、粘着性に優れる上に、耐候性、耐熱性、耐火性なども良好で、かつ、安価であることから、ブチルゴムが好ましい。
また、防水層１２が取り付けられる外壁材の裏面が、防水処理した平滑面である場合には、防水層１２として、独立発泡体からなる防水スポンジを用いることもできる。
【００１１】
防水層１２の表面の少なくとも一部には、易破砕性の塗膜が形成されていることが好ましい。ここで「易破砕性」とは、押圧力により、容易に破砕する性質のことである。このような易破砕性の塗膜が防水層１２の表面に形成されていれば、防水層１２を外壁材に接触させても直ちに貼着されないため、外壁材に貼着する際に貼着位置を調整できる。
易破砕性の塗膜を構成する材料としては、膠などのゼラチン、セルロース又はその誘導体、澱粉又はその誘導体、水ガラスなどが挙げられる。
【００１２】
防水層１２は、貼着性の点から、幅が０．３〜１．５ｃｍであることが好ましく、厚さが０．５〜３．０ｍｍであることが好ましい。
【００１３】
防水部材１０の製造方法としては、例えば、長尺平面状の可撓性シートを長さ方向に沿って折り返し及び折り曲げて、谷折り領域Ｐを有する防水シート１１を形成した後、防水シート１１の幅方向の一方の端部上に、防水シート１１の長さ方向に沿って防水層１２を形成する方法、長尺平面状の可撓性シートの幅方向の一方の端部上に、可撓性シートの長さ方向に沿って防水層１２を形成した後、可撓性シートを長さ方向に沿って折り返し及び折り曲げて、谷折り領域Ｐを有する防水シート１１を形成する方法などが挙げられる。
【００１４】
ここで、可撓性シートを折り返したり、折り曲げたりするためには、例えば、平面状の可撓性シートの長さ方向を、先端が丸められた刃先を有する鋼鉄製の回転刃と、この刃先が没入する断面略Ｖ字状の環状溝が外周面に形成された回転ローラとを具備する折り曲げ装置を用いればよい。この折り曲げ装置では、回転刃と環状溝との隙間に防水シート１１を長さ方向に沿って挿入し、通過させることにより折り曲げることができる。その際、回転刃と環状溝との間の隙間の距離は、可撓性シートの厚みの１０〜５０％程度とすることが好ましい。
防水層１２の形成方法としては、例えば、押出機の口金から、防水シート１１の幅方向の一方の端部上に、防水シート１１の長さ方向に沿って粘着剤を連続的に押し出す方法などが挙げられる。
【００１５】
上述した防水部材１０を構成する防水シート１１は一部が谷折りされているため、折り畳むことができ、間隔の狭い目地の中に容易に押し込むことができる。また、防水シート１１は形状復元性を有するため、防水シート１１の谷折り領域Ｐを折り畳んでも、折り畳むための力の付与を止めると、折り畳む前の形状に復元する。そのため、防水部材１０を防水層１２によって外壁材の裏面（躯体側の表面）に貼着して取り付け、谷折り領域Ｐを折り畳んで目地の中に配置した際には、谷折り領域Ｐが広がって目地を塞ぐことができる。その結果、屋内と屋外とが連通しなくなるから、防水性を確保することができる。
この防水部材１０は、上記のように、防水シート１１の形状復元性を利用して防水性を確保するため、目地に沿ってシート同士を貼着する作業を省略でき、防水処理作業の作業性に優れる。しかも防水部材１０は、防水層１２により外壁材の裏面に貼着して取り付けるから、外壁材の小口に段差があっても隙間が形成されず、隙間を埋める作業を省略でき、防水処理作業に手間を要さない。
【００１６】
なお、本発明の防水部材は上述した実施形態例に限定されない。例えば、防水シート１１が谷折り領域Ｐと取付領域Ｑとの境界線Ｌで折曲され、谷折り領域Ｐにおける取付領域Ｑ側の端部が長さ方向に沿って折曲されていたが、このように折曲されていなくてもよい。ただし、防水シート１１が谷折り領域Ｐと取付領域Ｑとの境界線Ｌで折曲されていれば、形状復元性がより高くなり、目地をより塞ぎやすくなるため、防水性がより高くなる。また、谷折り領域Ｐにおける取付領域Ｑ側の端部が折り目１５，１５にて長さ方向に沿って折曲されていれば、屈曲性が高くなるため、防水部材１０を取り付けた外壁材を輸送する際に、防水部材１０を外壁材の小口に容易に沿わせることができる上に、防水部材１０を施工する際に、谷折り領域Ｐが外壁材の表面側に配置されるように容易に折り曲げることができる。なお、折り目１５は１つであっても構わない。
また、上記防水部材１０では、防水層１２表面と谷折り領域Ｐの折り目１３先端とが互いに反対側を向くように、防水層１２が防水シート１１の端部の片面上に形成されていたが、防水層１２は防水シート１１の端部の両面に形成されていても構わない。
【００１７】
次に、上記防水部材１０を使用した外壁目地の防水構造（以下、防水構造と略す。）の一実施形態例について説明する。
図３及び図４に、本実施形態例の防水構造を示す。この防水構造１は、第１の躯体である第１の柱２０ａ及び第１の柱２０ａに取り付けられた第１の外壁材３０ａと、第２の躯体である第２の柱２０ｂ及び第２の柱２０ｂに取り付けられた第２の外壁材３０ｂとが左右に隣接して形成された上下方向の目地４０を、一対の防水部材（第１の防水部材１０ａ、第２の防水部材１０ｂ）により防水するものである。
本実施形態例では、第１の防水部材１０ａは、防水層１２ａに接する取付領域Ｑ１が第１の柱２０ａと第１の外壁材３０ａとの間に挟持され、防水層１２ａが第１の外壁材３０ａの裏面（第１の柱２０ａ側表面）における長辺側の端部に貼着されて取り付けられている。また、第２の防水部材１０ｂは、防水層１２ｂに接する取付領域Ｑ２が第２の柱２０ｂと第２の外壁材３０ｂとの間に挟持され、防水層１２ｂが第２の外壁材３０ｂの裏面（第２の柱２０ｂ側表面）における長辺側の端部に貼着されて取り付けられている。
また、第１の防水部材１０ａに具備された防水シート１１ａの谷折り領域Ｐ１の長さ方向及び第２の防水部材１０ｂに具備された防水シート１１ｂの谷折り領域Ｐ２の長さ方向が目地４０に沿って配置されつつ、重なり合っている。
【００１８】
通常、防水部材と柱の境界の小口、防水部材と外壁材の境界の小口には、微小な深さの溝（本実施形態例では溝５０ａ，５０ｂ）が形成されている。本実施形態例では、第１の外壁材３０ａと第１の防水部材１０ａとの境界に形成された溝５０ａに、第２の防水部材１０ｂの外折り部１４ｂが差し込まれて、外折り部１４ｂが第１の外壁材３０ａに接しつつ第２の防水部材１０ｂが固定されている（図５参照）。また、第２の防水部材１０ｂと第２の柱２０ｂとの境界に形成された溝５０ｂに、第１の防水部材１０ａの外折り部１４ａが差し込まれて、外折り部１４ａが第２の柱２０ｂに接しつつ第１の防水部材１０ａが固定されている（図６参照）。
【００１９】
この防水構造１においては、第１の防水部材１０ａ及び第２の防水部材１０ｂを隠して外観を良くし、また、防水性をより向上させるために、第２の防水部材１０ｂの谷折り領域Ｐ２より屋外側の目地に、発泡樹脂製円柱体からなるバックアップ材６１を充填した上でコーキング材６２を充填したり（図７参照）、ガスケット６３を挿入したりしてもよい（図８参照）。このように、バックアップ材６１、コーキング材６２やガスケット６３を目地に充填し、さらに、図示例のように、これらを第２の防水部材１０ｂを押圧した際には、第１の防水部材１０ａと第１の柱２０ａ及び第２の柱２０ｂとの隙間がなくなるため、より防水性が高くなる。
【００２０】
上記防水構造１を形成する方法の一例について説明する。
まず、工場にて、第１の外壁材３０ａの裏面の長辺側の端部に、防水シート１１ａの谷折り領域Ｐ１が目地側に配置されるように、第１の防水部材１０ａの防水層１２ａを貼着して取り付ける。同様に、第２の外壁材３０ｂの裏面の長辺側の端部に、防水シート１１ｂの谷折り領域Ｐ２が目地側に配置されるように、第２の防水部材１０ｂの防水層１２ｂを貼着して取り付ける。
次いで、第１の外壁材３０ａと第１の柱２０ａとで第１の防水部材１０ａの取付領域Ｑ１を挟みながら、第１の外壁材３０ａを第１の柱２０ａに取り付けて外壁構造体を得る。同様に、第２の外壁材３０ｂと第２の柱２０ｂとで第２の防水部材１０ｂの取付領域Ｑ２を挟みながら、第２の外壁材３０ｂを第２の柱２０ｂに取り付けて外壁構造体を得る。
次いで、外壁構造体を建築物の建築現場に輸送する。その際、防水部材１０ａ，１０ｂは柱２０ａ，２０ｂに沿わせておく。
【００２１】
建築現場では、まず、第１の防水部材１０ａの外折り部１４ａを第１の外壁材３０ａの表面側に移動させ、第２の防水部材１０ｂの外折り部１４ｂを第２の外壁材３０ｂの表面側に移動させる。そして、各外壁構造体が互いに隣接するように据え付ける。これにより、目地４０が形成される。
次いで、第１の防水部材１０ａの谷折り領域Ｐ１を、施工用工具を用いて目地４０の中に押し込んで、第２の防水部材１０ｂの谷折り領域Ｐ２より屋内側に配置させると共に、第１の防水部材１０ａにおける外折り部１４ａを、第２の柱２０ｂと第２の防水部材１０ｂとの間の溝５０ｂに差し込んで固定する。次いで、第２の防水部材１０ｂの谷折り領域Ｐ２を、施工用工具を用いて目地４０の中に押し込んで、第２の防水部材１０ｂにおける外折り部１４ｂを、第１の外壁材３０ａと第１の防水部材１０ａとの間の溝５０ａに差し込んで固定する。
このようにして、第１の防水部材１０ａの谷折り領域Ｐ１及び第２の防水部材１０ｂの谷折り領域Ｐ２の長さ方向を目地４０に沿って配置させつつ、谷折り領域Ｐ１，Ｐ２同士を重ね合わせて、目地４０を防水する防水構造１を形成することができる。
【００２２】
上述した実施形態例の防水構造１では、第１の防水部材１０ａの防水シート１１ａの谷折り領域Ｐ１及び第２の防水部材１０ｂの防水シート１１ｂの谷折り領域Ｐ２によって目地４０が塞がれているため、屋内側に水が侵入しにくくなっており、防水性に優れている。特に、本実施形態では、第１の防水部材１０ａの外折り部１４ａが溝５０ｂに差し込まれて固定され、第２の防水部材１０ｂの外折り部１４ｂが溝５０ａに差し込まれて固定されて、谷折り領域Ｐ１，Ｐ２同士が重なり合っている上に、第１の防水部材１０ａの折り目１３ａと第２の防水部材１０ｂの折り目１３ｂとが重なるため、より防水性に優れる。これは、谷折り領域Ｐ１，Ｐ２同士の重なり及び折り目１３ａ，１３ｂの重なりによっても防水性を発揮するためである。
また、この防水構造１では、取付領域Ｑ側の端部から折り目１３までの距離と、外折り部１４から折り目１３までの距離とが略同等であるため、谷折り領域Ｐ１，Ｐ２の密着性が高い。その結果、屋外側から屋内側に向けた力が第２の防水部材１０ｂの谷折り領域Ｐ２にかかった際には、第２の防水部材１０ｂの谷折り領域Ｐ２が第１の防水部材１０ａの谷折り領域Ｐ１を押し込み、第１の防水部材１０ａの谷折り領域Ｐ１を広げる。これにより、第１の防水部材１０ａの外折り部１４ａが溝５０ｂに強く押し付けられるため、第１の防水部材１０ａは強固に固定されることになる。したがって、この防水構造１は、屋外側から屋内側に向けた力が第２の防水部材１０ｂの谷折り領域Ｐ２にかかっても破壊されにくい。
さらに、上記防水構造１では、第１の防水部材１０ａの谷折り領域Ｐ１及び第２の防水部材１０ｂの谷折り領域Ｐ２を目地４０の中に押し込み、外折り部１４ａ，１４ｂを溝５０ａ，５０ｂに差し込むだけで防水構造１を形成できるから、防水処理作業の作業性にも優れる。
第１の防水部材１０ａおよび第２の防水部材１０ｂの防水シート１１ａ，１１ｂが、半硬質の無延伸ポリプロピレンである場合には、外折り部１４ａ，１４ｂが溝５０ａ，５０ｂに差し込まれたことは音や感触により確認できるため、施工管理しやすい。
【００２３】
なお、本発明の防水構造は、上述した実施形態例に限定されない。例えば、上述した実施形態例では、防水部材の外折り部が溝に差し込まれていたが、必ずしも各外折り部が溝に差し込まれていなくてもよい。
【００２４】
上述した実施形態例では、防水部材の取付領域が外壁材と柱とに挟まれていたが、外壁材が柱から目地側にはみ出して取り付けられている場合には、その外壁材のはみ出した部分の裏面に、防水部材の防水層を貼着して、防水部材を取り付けてもよい。このような防水構造でも、上記実施形態例と同様の効果を発揮する。特に、外壁材の小口に段差がある場合でも防水処理作業に手間を要さない。
【００２５】
また、上述した実施形態例では、外壁材の長辺側の端部に１つの防水部材を取り付けられていたが、外壁材の長辺側の端部に複数の防水部材が取り付けられてもよい。ただし、その場合には、防水性の点から、上側の防水部材の下端が下側の防水部材の上端を覆うようにして継ぐ必要がある。
また、防水部材の防水層が外壁材の裏面に貼着されて取り付けられていたが、外壁材と柱の両方に貼着されて取り付けられていても構わない。
また、上述した実施形態例では、外壁材が左右に隣接して取り付けられていたが、上下に隣接して取り付けられていても構わない。
【図面の簡単な説明】
【００２６】
【図１】本発明の外壁目地用防水部材の一実施形態例を示す斜視図である。
【図２】図１の外壁目地用防水部材の断面図である。
【図３】本発明の外壁目地の防水構造の一実施形態例を示す平面図である。
【図４】図３のＢ−Ｂ’断面を拡大した図である。
【図５】図４の外壁目地の防水構造における要部拡大図である。
【図６】図４の外壁目地の防水構造における要部拡大図である。
【図７】図４の外壁目地の防水構造において、目地にバックアップ材およびコーキングを充填した例を示す断面図である。
【図８】図４の外壁目地の防水構造において、目地にガスケットを挿入した例を示す断面図である。
【符号の説明】
【００２７】
１  防水構造（外壁目地の防水構造）
１０  防水部材（外壁目地用防水部材）
１０ａ  第１の防水部材
１０ｂ  第２の防水部材
１１，１１ａ，１１ｂ  防水シート
１２，１２ａ，１２ｂ  防水層
１３，１３ａ，１３ｂ，１５  折り目
１４，１４ａ，１４ｂ  外折り部
２０ａ  第１の柱（第１の躯体）
２０ｂ  第２の柱（第２の躯体）
３０ａ  第１の外壁材
３０ｂ  第２の外壁材
４０  目地
５０ａ，５０ｂ  溝
Ｐ，Ｐ１，Ｐ２  谷折り領域
Ｑ，Ｑ１，Ｑ２  取付領域
Ｌ  境界線
【図１】
0004795009.tif 000002
【図２】
0004795009.tif 000003
【図３】
0004795009.tif 000004
【図４】
0004795009.tif 000005
【図５】
0004795009.tif 000006
【図６】
0004795009.tif 000007
【図７】
0004795009.tif 000008
【図８】
0004795009.tif 000009